(57)【要約】【課題】換気スリーブの屋内側端部が下へ傾くのを防止し、ひいては雨水や結露水が屋内側へ流れ込むのを防止する。【解決手段】建物の壁１を貫通する換気スリーブ２に勾配付与部材３０を設ける。勾配付与部材３０の取付部３４を壁１に取付け、取付部３４に連なる保持部３１によって換気スリーブ２の内管２０を屋内へ向かって上へ傾くように保持する。【選択図】図１
2019158213.tif 000002
【特許請求の範囲】
【請求項１】
建物の壁の貫通孔に設置される外スリーブに断熱層付きの内管を収容してなる換気スリーブに設けられる勾配付与部材であって、
前記壁又は外スリーブに取付けられる取付部と、
前記取付部に連なるとともに、前記内管を、屋内へ向かって上へ傾くように保持する保持部とを備えたことを特徴とする勾配付与部材。
【請求項２】
前記保持部が、前記外スリーブと前記内管との屋内側端部の下側部分どうし間に挿入され、前記内管を押し上げるように配置されていることを特徴とする請求項１の記載の勾配付与部材。
【請求項３】
前記保持部が、前記内管の外周面の周方向に沿って延びていることを特徴とする請求項１又は２に記載の勾配付与部材。
【請求項４】
前記取付部が、前記保持部の両端部にそれぞれ連なる一対の取付片部を含み、各取付片部が前記壁又は外スリーブに取付けられることを特徴とする請求項３記載の勾配付与部材。
【請求項５】
前記保持部の両端部からそれぞれ外周側へ折り返された折り返し部に前記取付片部が連なっていることを特徴とする請求項４に記載の勾配付与部材。
【請求項６】
建物の壁の貫通孔に設置される外スリーブと、前記外スリーブに収容された断熱層付きの内管と、請求項１〜５の何れか１項に記載の勾配付与部材とを備えたことを特徴とする換気スリーブ。
【請求項７】
前記外スリーブの端部に一対のスリットが形成されており、
請求項５に記載の勾配付与部材における両端部の折り返し部が、それぞれ対応する前記スリットに挿し込まれていることを特徴とする請求項６に記載の換気スリーブ。
【発明の詳細な説明】
【技術分野】
【０００１】
本発明は、建物の壁を貫通する換気スリーブ及びこれに設けられる勾配付与部材に関し、特に前記換気スリーブの内管に勾配を付ける勾配付与部材に関する。
【背景技術】
【０００２】
一般に、家屋等の建物には換気ダクトが配管されている。換気ダクトは、例えば厨房のレンジフード等から外壁へ延びている（特許文献１等参照）。例えば、特許文献１においては、換気ダクトの屋外側端部に換気スリーブが接続されている。換気スリーブは、鍔付きの外スリーブと、断熱層付きの内管を含む。外スリーブが建物の外壁の貫通孔に嵌められ、かつ該外スリーブの鍔が外壁にビス止めされている。外スリーブ内に収容された断熱層付き内管の内部空間が、換気ダクト内に連なる換気流路となっている。
【先行技術文献】
【特許文献】
【０００３】
【特許文献１】特開２０１４−１３７１５４号公報
【発明の概要】
【発明が解決しようとする課題】
【０００４】
前記換気スリーブの屋内側端部に換気ダクトを接続すると、換気スリーブにおける内管の屋内側端部が換気ダクトの重みで下へ傾くことが懸念される。そうすると、内管の換気流路内に入り込んだ雨水や結露水が屋内側へ流れ込んでしまう。
鍔付き外スリーブの軸線を鍔の直交方向に対して若干斜めにすることで、鍔を鉛直な外壁に宛がうと、外スリーブの軸線が屋内へ向かって上へ傾くように勾配が付く換気スリーブも知られている。しかし、前記換気ダクトの重みを受けても内管の屋内側端部が下向きにならないようにするためには、前記勾配を大きく設定する必要がある。
本発明は、かかる事情に鑑み、換気スリーブにおける内管の屋内側端部が換気ダクトの重み等で下方へ傾くのを防止し、ひいては雨水や結露水が屋内側へ流れ込むのを防止することを目的とする。
【課題を解決するための手段】
【０００５】
前記問題点を解決するために、本発明は、建物の壁の貫通孔に設置される外スリーブに断熱層付きの内管を収容してなる換気スリーブに設けられる勾配付与部材であって、
前記壁又は外スリーブに取付けられる取付部と、
前記取付部に連なるとともに、前記内管を、屋内へ向かって上へ傾くように保持する保持部とを備えたことを特徴とする。
【０００６】
前記勾配付与部材によって換気スリーブの内管に勾配を付けることで、雨水や結露水が屋内側へ流れ込むのを防止できる。
換気スリーブの内管の屋内側端部に換気ダクトの重みが付与されたとき、その荷重は勾配付与部材を介して建物の壁又は外スリーブに受け渡される。外スリーブに受け渡された場合には、該外スリーブから建物の壁へ受け渡される。これによって、内管の屋内側端部が下へ傾くのを防止でき、設定勾配を維持できる。この結果、雨水や結露水が屋内側へ流れ込むのを確実に防止できる。
外スリーブは屋内へ向かって上向きの勾配が付けられている必要が無く、勾配を付けるとしてもその勾配を小さくすることができる。
【０００７】
前記保持部が、前記外スリーブと前記内管との屋内側端部の下側部分どうし間に挿入され、前記内管を押し上げるように配置されていることが好ましい。
これにより、勾配付与部材で内管の屋内側端部を持ち上げて勾配を付けることができる。
【０００８】
前記保持部が、前記内管の外周面の周方向に沿って延びていることが好ましい。
これにより、内管の周方向の広い範囲にわたって保持部を宛がうことで、内管を安定的に保持して勾配を付けることができる。
前記保持部は、前記内管の外周面の周方向に沿って円弧状（部分環状）に湾曲する帯板状であることが、より好ましい。
【０００９】
前記取付部が、前記保持部の両端部にそれぞれ連なる一対の取付片部を含み、各取付片部が前記壁又は外スリーブに取付けられることが好ましい。
これによって、勾配付与部材を壁又は外スリーブに安定的に取付けることができる。一対の取付片部間に保持部が架け渡され、該保持部によって内管を安定的に保持できる。
【００１０】
前記保持部の両端部からそれぞれ外周側へ折り返された折り返し部に前記取付片部が連なっていることが好ましい。
前記折り返し部は、外スリーブへの係止部として用いることができる。
【００１１】
また、本発明は、建物の壁の貫通孔に設置される外スリーブと、前記外スリーブに収容された断熱層付きの内管と、前記勾配付与部材とを備えた換気スリーブを特徴とする。
前記外スリーブの端部に一対のスリットが形成されており、前記勾配付与部材における両端部の折り返し部が、それぞれ対応する前記スリットに挿し込まれていることが好ましい。
これによって、勾配付与部材を外スリーブに対して簡単に位置決めして係止できる。ひいては、内管の勾配を一定に保持でき、施工誤差が生じるのを防止できる。
【発明の効果】
【００１２】
本発明によれば、換気スリーブの内管の屋内側端部が下へ傾くのを防止できる。ひいては雨水や結露水が屋内側へ流れ込むのを防止できる。
【図面の簡単な説明】
【００１３】
【図１】図１は、本発明の一実施形態に係る換気スリーブが設けられた建物の外壁の縦断面図である。
【図２】図２は、前記換気スリーブを屋内側から見た正面図である。
【図３】図３は、前記換気スリーブの分解斜視図である。
【図４】図４（ａ）は、前記換気スリーブに設けられる勾配付与部材の平面図である。図４（ｂ）は、前記勾配付与部材の正面図である。図４（ｃ）は、前記勾配付与部材の斜視図である。
【図５】図５は、前記外壁に設置された換気スリーブの一部分を屋内側から見た斜視図である。
【図６】図６は、前記勾配付与部材の他の使用態様を示し、前記外壁に設置された換気スリーブの一部分を屋内側から見た斜視図である。
【発明を実施するための形態】
【００１４】
以下、本発明の一実施形態を図面にしたがって説明する。
図１に示すように、建物の外壁１（壁）に換気スリーブ２が設けられている。図１において二点鎖線で示す換気ダクト３が、厨房のレンジフード等から延びて換気スリーブ２に接続されている。
【００１５】
図２及び図３に示すように、換気スリーブ２は、外スリーブ１０と、内管２０を備えている。外スリーブ１０は、外スリーブ部１１と、鍔１２を含む。短筒形状の外スリーブ部１１の屋外寄り部分の外周に、四角形状の鍔１２が設けられている。
外スリーブ部１１及び鍔１２の材質は、亜鉛メッキ鋼、ステンレス鋼、アルミニウム等の金属である。
【００１６】
図１に示すように、外スリーブ部１１が外壁１の貫通孔１ｃに嵌められている。ひいては、換気スリーブ２が外壁１を貫通している。外スリーブ部１１の軸線は略水平に向けられている。鍔１２が、外壁１の鉛直な屋外側合板１ａにビス止めされている。
なお、外スリーブ１１の軸線は、屋外側へ向かって下へ僅かに傾けられていてもよい。
【００１７】
図１及び図２に示すように、外スリーブ部１１に内管２０が収容されている。
内管２０は、内スリーブ部２１と、断熱層２２を含む。内スリーブ２１は、外スリーブ部１１より長くかつ小径の筒形状になっている。内スリーブ部２１の内部が、換気流路２ａとなっている。換気流路２ａが、換気ダクト３内に連なっている
内スリーブ部２１の材質は、亜鉛メッキ鋼、ステンレス鋼、アルミニウム等の金属である。
【００１８】
図２に示すように、内スリーブ部２１の外周に断熱層２２が設けられている。断熱層２２は、厚肉の環状ないしは筒状になっている。断熱層２２は、グラスウール、ガラス繊維フェルトなどの断熱材によって構成されている。
図１に示すように、断熱層２２の外周に外スリーブ部１１が被さっている。断熱層２２の屋外側の端部には、金属製の環状の防水キャップ２３が被せられている。
図３に示すように、断熱層２２の屋外寄り部分の外周には、環状のパッキン２４（シール部材）が設けられている。パッキン２４は、ポリエチレンなどの樹脂、ゴムその他の水密性材質によって構成されている。パッキン２４によって、外スリーブ部１１と断熱層２２との間がシールされている。
【００１９】
図３に示すように、換気スリーブ２には、勾配付与部材３０が付加されている。勾配付与部材３０は、亜鉛メッキ鋼、ステンレス鋼、アルミニウム等の金属によって構成されている。より好ましくは、勾配付与部材３０は、所定形状（例えばコ字状）に打ち抜かれた１枚の金属板を折り曲げ加工することによって作製されている。  
【００２０】
図４（ａ）〜同図（ｃ）に示すように、勾配付与部材３０は、保持部３１と、一対の取付ベース部３３と、一対の取付片部３４を含む。保持部３１は、円弧状（部分環状）に湾曲する帯板状になっている。図２に示すように、保持部３１の曲率は、内管２０の断熱層２２の外周面の曲率に合わせられている。図４（ｂ）に示すように、保持部３１の中心角α３１は、好ましくはα３１＝９０°〜１５０°程度、より好ましくはα３１＝１２０°程度である。
【００２１】
図４（ｂ）及び同図（ｃ）に示すように、勾配付与部材３０は、保持部３１の両端部において、それぞれ保持部３１の外周側へ略１８０°折り返されており、折り返し部３２（係止部）が形成されている。保持部３１の両端部にそれぞれ折り返し部３２を介して取付ベース部３３が連なっている。取付ベース部３３は、保持部３１の外周側に重なる板状になっている。保持部３１と取付ベース部３３との間の隙間厚さは、外スリーブ部１１の厚みと同等かそれより少し大きい程度である。
【００２２】
図４に示すように、各取付ベース部３３の屋内側の縁に取付片部３４が連なっている。したがって、保持部３１の両端部にそれぞれ折り返し部３２及び取付ベース部３３を介して取付片部３４が連なっている。一対の取付片部３３どうし間に保持部３１が架け渡されている。
折り返し部３２と取付ベース部３３と取付片部３４とによって、取付部３６が構成されている。
【００２３】
図４（ｂ）及び同図（ｃ）に示すように、取付片部３４は、取付ベース部３３に対して直交する長方形の板状になっている。該取付片部３４が、取付ベース部３３から保持部３１の半径方向へ沿って斜め下方へ突出されている。図４（ｂ）に示すように、正面視において、一対の取付片部３４どうしが互いに「ハ」字状をなすように配置されている。各取付片部３４にはネジ挿通孔３４ｃが形成されている。
取付片部３４は、保持部３１の屋内側の縁（図４（ａ）において上縁）と屋内外方向のほぼ同じ位置に配置されている。ここで、屋内外方向とは、外壁１の屋内側と屋外側を結ぶ方向（図４（ａ）の上下方向、図１の左右方向）を云う。
【００２４】
図２及び図３に示すように、換気スリーブ２には、前記勾配付与部材３０を取り付けるために、一対のスリット１１ｓ（被係止部）が形成されている。スリット１１ｓは、外スリーブ部１１の屋内側端面から外スリーブ部１１の軸線に沿って延びる切込み状になっている。スリット１１ｓの切込み長さは、勾配付与部材３０の保持部３１の幅寸法とほぼ等しい。
図２に示すように、一対のスリット１１ｓは、外スリーブ部１１の下半部の互いに左右対称な位置に配置されている。外スリーブ部１１の周方向における、一対のスリット１１ｓどうしの離間角度は、勾配付与部材３０の中心角α３１と略等しい。一対のスリット１１ｓどうしの離間距離は、勾配付与部材３０の一対の折り返し部３２どうし間の距離と実質等しい。
【００２５】
勾配付与部材３０は、次のようにして換気スリーブ２に取付けられている。
図１及び図２に示すように、勾配付与部材３０の保持部３１が、外スリーブ１０と内管２０との屋内側端部の下側部分どうし間に挿入されている。図２及び図５に示すように、一対の折り返し部３２が、外スリーブ１０の対応するスリット１１ｓに挿し込まれて係止されている。これによって、勾配付与部材３０が外スリーブ１０に取付けられている。
更に、図５に示すように、各取付片部３４が、外壁１の屋内側石膏ボード１ｄの屋内側面に宛がわれている。詳細な図示は省略するが、ビス３５が、挿通孔３４ｃを通して石膏ボード１ｄ及び屋内側合板１ｂに打ち込まれている。これによって、一対の取付片部３４が外壁１に取付けられている。ひいては、勾配付与部材３０が外壁１に固定されている。
【００２６】
図１及び図２に示すように、勾配付与部材３０の保持部３１は、外スリーブ部１１の一対のスリット１１ｓを結ぶように架け渡されるとともに、保持部３１の中央部は、外スリーブ部１１の底部から少し浮き上がり、断熱層２２の外周面に下側から押し当てられることで、内管２０の屋内側端部を押し上げるようにして保持している。これによって、内管２０が、外スリーブ１０に対して傾けられ、屋内へ向かって上へ傾く勾配が付けられている。当該内管２０の勾配は、好ましくは３０分の１〜５０分の１程度、より好ましくは４０分の１程度である。
パッキン２４が外スリーブ部１１と内管２０の角度の違いに合わせて弾性変形されることによって、外スリーブ部１１と断熱層２２との間のシールが確保されている。
【００２７】
換気スリーブ２においては、勾配付与部材３０によって内管２０に勾配が付けられることによって雨水や結露水が屋内側へ流れ込むのを防止できる。
しかも、換気スリーブ２の屋内側端部に換気ダクト３の重みが付与されたとき、その荷重は勾配付与部材３０を介して外壁１に受け渡される。したがって、内管２０の屋内側端部が下へ傾くのを防止できる。これによって、雨水や結露水が屋内側へ流れ込むのを一層確実に防止できる。
勾配付与部材３０の両端の折り返し部３２（係止部）が外スリーブ１０のスリット１１ｓ（被係止部）に係止されることによって、勾配付与部材３０が外スリーブ１０に対して位置固定される。ひいては、内管２０の勾配が一定の大きさに決められる。したがって、作業者が内管２０の勾配を可変調節する必要が無く、施工誤差が生じるのを防止できる。
【００２８】
図６は、勾配付与部材３０の他の使用態様を示したものである。
図６においては、勾配付与部材３０が、図１及び図５の態様に対して前後反転されている。このため、取付片部３４が、保持部３１の屋外側の縁と屋内外方向におけるほぼ同じ位置に配置されている。該取付片部３４が、屋内側合板１ｂに宛がわれ、ビス３５によって屋内側合板１ｂに直接固定されている。取付片部３４は、屋内側合板１ｂと屋内側石膏ボード１ｄとの間に挟まれている。保持部３１の幅が石膏ボード１ｄの厚さと実質等しいために、保持部３１の屋内外方向の位置は、図１及び図５の態様とほぼ同じである。
【００２９】
本発明は、前記実施形態に限られず、その趣旨を逸脱しない範囲内で種々の改変をなすことができる。
例えば、勾配付与部材が換気スリーブ２の屋外側部に設けられていてもよい。保持部が、外スリーブ１０と内管２０との屋外側端部の上側部分どうし間に挟まれ、内管２０の屋外側端部を押し下げていてもよい。
勾配付与部材の保持部は、外スリーブ１０と内管２０との間に介在されたスペーサ状であってもよい。
勾配付与部材の取付部３６が、外スリーブ１０を経ずに壁１に直接取り付けられていてもよい。
逆に、勾配付与部材の取付部３６が、壁１には取り付けられずに、外スリーブ１０だけに取付けられていてもよい。例えば、取付部３６が外スリーブ１０にビス止めや溶接で固定されていてもよい。換気スリーブ２の荷重が、勾配付与部材及び外スリーブ１０を介して壁１に伝わるようにしてもよい。
【産業上の利用可能性】
【００３０】
本発明は、例えば、建物の換気用のダクト設備に適用できる。
【符号の説明】
【００３１】
１        外壁（壁）
１ａ      屋外側合板
１ｂ      屋内側合板
１ｃ      貫通孔
１ｄ      屋内側石膏ボード
２        換気スリーブ
２ａ      換気流路
３        換気ダクト
１０      外スリーブ
１１      外スリーブ部
１１ｓ    スリット（被係止部）
１２      鍔
２０      内管
２１      内スリーブ部
２２      断熱層
２３      防水キャップ
２４      パッキン
３０      勾配付与部材
３１      保持部
３２      折り返し部（係止部）
３３      取付ベース部
３４      取付片部
３４ｃ    ネジ挿通孔
３５      ビス
３６      取付部
α３１      中心角
【図１】
2019158213.tif 000003
【図２】
2019158213.tif 000004
【図３】
2019158213.tif 000005
【図４】
2019158213.tif 000006
【図５】
2019158213.tif 000007
【図６】
2019158213.tif 000008